(57)【特許請求の範囲】
【請求項１】
展開形状が細長の略矩形形状からなり、長手方向中央部に背部（１）を設け、その両側に切り込み部（２ａ、２ｂ、２ｃ、２ｄ）を入れ且つ両側に設けた山折り部（３ａ、３ｂ）にて折り曲げてアーム部（４ａ、４ｂ）を形成し、アーム部両側を内側に折り曲げてアームリブ（５ａ、５ｂ、５ｃ、５ｄ）を形成し、背部（１）は、長手方向両側を内側に折り曲げて背リブ（１１ａ、１１ｂ）を設けてあることを特徴とする紙製掴み取り具。
【請求項２】
アーム先端部付近のアームリブ部を部分的に切り欠き、挟持爪部（６ａ、６ｂ、６ｃ、６ｄ）を設けたことを特徴とする請求項１記載の紙製掴み取り具。
【請求項３】
アーム部の長手方向中央部に、谷折り部（７ａ、７ｂ）を設けたことを特徴とする請求項１又は２記載の紙製掴み取り具。
【発明の詳細な説明】
【０００１】
【発明の属する技術分野】
本発明は、携帯性に優れ、使用時に簡単に組立てられる紙製の掴み取り具に関する。
【０００２】
【従来の技術】
従来から比較的小物を掴み取る器具としては、トング及びピンセット等が使用されている。
このトングやピンセットは、通常金属製あるいは樹脂製であり、中央部の弾性曲げ支点の両側に、Ｖ字状又はＵ字状に挟持用のアーム部（柄）が設けられた構造になっていて、通常はアーム部の先端が開く方向に弾性保持されていて両側のアーム部を指で押さえ、掴み取る物をアーム部の先端で挟持して取り扱うものである。
従って、これらの掴み取り具は、繰り返し使用されるのが前提になっていて、比較的高価であり、使用により汚れた場合にはその都度洗浄等の後始末をしなければならない。
【０００３】
例えば、犬等のペットの散歩中に排泄した糞便等を掴み取り、汚物袋等に入れて処理する場合には、上記のトングやピンセットを携帯するには、かさ張るだけでなく使用により汚物等の汚れが付いてしまい、トング等を持ち帰るための袋等も用意しなければならず、また洗浄の手間や不衛生になりやすい問題もある。
従来のトングやピンセットは、繰り返し使用されるのが前提となっているために弾性力が強く、使用時にはこの弾性力を抑えながら掴まなければならず、糞便が軟便であったり、掴み取るものが軟らかい場合には微妙な操作が要求され、実質上掴み取るのが困難であった。
【０００４】
また、従来から使い捨てを目的とした紙製のシャベルや、小型スコップが提案されているが、シャベル等では草むらの様な所で糞便等を掬い取るのは困難であり、例えば虫の死骸等の軽くて小さい物も前に押し出すだけで掬い取るのが難しい。
さらに、シャベル等の掬い取る構造のものでは、強度を確保するために紙の厚みを厚くしたり、一定の掬い取り面積を必要とするために比較的大きいものになってしまう技術的課題があった。
【０００５】
その他にペット等の糞便等の処理方法として、糞袋と称される物が提案されているが、手の受ける感触が良くなく、また、割り箸等では心情的に抵抗感があるばかりで無く、持ち帰り時に割り箸の先で袋を破損する恐れもあった。
【０００６】
【発明が解決しようとする課題】
本発明は、上記の従来技術の問題に鑑みて、携帯時には薄くて小さく、使用時には簡単に組立てられて強度があり、取り扱いが容易で、使い捨てが可能な紙製の掴み取り具の提供を目的とする。
【０００７】
【課題を解決するための手段】
本発明は、上記目的を達成するために紙を裁断又は打ち抜き加工することにより、無駄なく生産できることもねらいに、展開形状が細長の略矩形形状からなり、長手方向中央部に背部１を設け、その両側に切り込み部２ａ、２ｂ、２ｃ、２ｄを入れ、山折り部３ａ、３ｂにて折り曲げてアーム部４ａ、４ｂを形成し、アーム部両側を内側に折り曲げて、アームリブ５ａ、５ｂ、５ｃ、５ｄを形成した。
【０００８】
このように、展開形状を細長の略矩形形状としたことにより、原材料の紙から無駄無く裁断又は抜き打ち加工することができ、長手方向中央部に背部１を設けて、その両側に切り込み部２ａ、２ｂ、２ｃ、２ｄを入れて、山折り部３ａ、３ｂにて山折りにし、アーム部４ａ、４ｂを形成したので、山折り部の弾性力を活かしてコンパクトな掴み取り具になり、アーム部両側を内側に折り曲げてアームリブ５ａ、５ｂ、５ｃ、５ｄを形成したので、薄い紙でも強度を確保することができる。
ここで山折り部３ａ、３ｂを形成する方法として、プレス加工によりプレス溝とすると弾力性及び反復力が良くなる。
【０００９】
本発明は、背部の強度を向上させるために、背部１の長手方向両側に背リブ折り曲げ部１１１ａ、１１１ｂを設けて内側に折り曲げて背リブ１１ａ、１１ｂを設けたものである。
この際に、切り込み部２ａ、２ｂ、２ｃ、２ｄの根元から山折り部３ａ、３ｂの延長上に背リブサイド折り曲げ部２１ａ、２１ｂ、２１ｃ、２１ｄを設けて内側に折り曲げるとこの曲げた部分がアーム部の内側に当接することになり、弾力性をサポートするように作用し、反復力が向上する。
【００１０】
本発明は、アーム先端部の掴み易さを向上させるために、アーム先端部付近のアームリブ部を部分的に切り欠き（例えばギザギザ状に）挟持爪部６ａ、６ｂ、６ｃ、６ｄを設けた。
これにより、爪先に力が集中して掴み取りやすくなる。
【００１１】
本発明は、アーム部自身の強度向上を図るために、アーム部長手方向中央部１に谷折り部７ａ、７ｂを設けたものである。
これにより、アーム部の断面がＭ型形状になるために、よりコンパクトになり、しかも強度が大きくなる。
また、両側のアーム部の谷折り部が相互に内側に向くようになるので、この部分も部分的に切り欠き、例えばギザギザ状の中央挟持爪部７１ａ、７１ｂを設けるとさらに掴みやすくなる。
【００１２】
本発明においては、使い捨て使用を主目的にする場合には、再生紙の使用が効果的であり、ペットの糞を主に対象とする場合は、トイレに流せるタイプの紙の使用が望ましい。
【００１３】
【発明の実施の形態】
本発明の望ましい実施の形態を以下図に基づいて説明するが、使用する用途に応じて本発明のねらいとする範囲内であれば自由に変形が可能である。
図１に、本発明に係る紙製掴み取り具を展開した状態を示し、通常はこの状態にてポケットやバッグ等に入れて携帯する。
図２には、所定の折り曲げ部にて折り曲げて組立てた状態を示す。
【００１４】
細長の長方形の長手方向中央部に、背部１を形成するように切り込み部２ａ、２ｂ、２ｃ、２ｄを入れ、山折り部３ａ、３ｂをプレス加工等によりプレス溝として形成し、アーム部４ａ、４ｂを形成する。
なお、図１に示す切り込み部は、長手方向に対して約４５度の角度方向に切り込みを入れた例を示すが、山折り部に沿って直角方向に切り込みを入れたり、三角形状に切り欠いてもよく、切り込みの角度、長さは背部の長さ等に合わせて選定される。
また、山折り部は、弾力性を考慮するとプレス溝が望ましいが、浅くロール等のカッター溝を入れても実用的には問題が無い。
ここで図１は、山折り部を２箇所形成して背部を設けた例を示すが、山折り部を１箇所のみとし、Ｖ字型に折り曲げるように成形してもよい。
次にアーム部の両側に、アーム折り曲げ部５１ａ、５１ｂ、５１ｃ、５１ｄを入れて、アームリブ５ａ、５ｂ、５ｃ、５ｄを形成する。
アームリブの先端付近には、部分的に切り欠き挟持爪部６ａ、６ｂ、６ｃ、６ｄを形成し、アームリブの長手方向中央部には、谷折り部７ａ、７ｂを形成している。
【００１５】
図２には、折り曲げ部にて折り曲げて組立てた状態を示し、図３に、掴み取り具の使用時の側面図を示す。
図４には、谷折り部７ａ、７ｂが無い場合、図５には、谷折り部を部分的に切り欠いた例を示す。
【００１６】
本発明に係る掴み取り具は紙製なので、例えば、折り目等から部分的に容易に手でちぎり取ることもできる。
従って、ペット等の糞便が軟便のために掴み取り難い場合等には、背部の山折り部等で約半分にちぎり、片方を広げてチリトリ状の形態にして他方の一片をホウキの要領で使用することもできる。
【００１７】
掴み取り具が安価な紙製なので、ペットの糞便等を処理して汚れた場合には、ビニール袋等に汚物と一緒に入れて使い捨て処理が可能であり、従来の樹脂製や金属製の製品のように、その先で袋等を破る危険性もない。また、小さな紙製なのでポケット等に入れられ、犬の散歩時には手ぶらで出かけられる。
なお、以上本発明に係る掴み取り具の使い方をペット等の糞便を対象にした例を中心に説明して来たが、比較的小物で直接手で触れることに抵抗があるもの全てに使用できることは言うまでもなく、例えば、紙製なのでタンス等の引き出しにストックしておくことが出来、ゴキブリ等の死骸の処理にも使用できる。
【００１８】
【発明の効果】
本発明の紙製掴み取り具によれば、展開した状態の比較的小さい細長の紙片としてポケットやバッグに入れて簡単に携帯することができ、使用時に容易に掴み取り具として指先で組立てることができ、使い捨ても可能である。
また、細長の略長方形の形状なので、無駄なくプレス打ち抜きあるいは裁断ができて安価である。
【００１９】
アーム部にリブを設け、リブの先に挟持爪部を設けたり、アーム部の中央部に谷折り部を設け、断面形状をＭ字型にすると薄い紙でもコンパクトで強度が大きく、トングのように手指を汚さず掴み取ることができ、ピンセットのように細かい物も容易に掴み取ることができる。
【図面の簡単な説明】
【図１】本発明に係る紙製掴み取り具の展開状態（プレス打ち抜き状態）を示す。
【図２】折り曲げて組立てた状態を示す。
【図３】掴み取り具の使用時の側面図を示す。
【図４】掴み取り具の谷折りの無い例を示す。
【図５】掴み取り具の谷折り部を部分的に切り欠いた例を示す。
【符号の説明】
１  背部
１１ａ、１１ｂ、  背リブ
１１１ａ、１１１ｂ  背リブ折り曲げ部
２ａ、２ｂ、２ｃ、２ｄ  切り込み部
２１ａ、２１ｂ、２１ｃ、２１ｄ  背リブサイド折り曲げ部
３ａ、３ｂ  山折り部
４ａ、４ｂ  アーム部
５ａ、５ｂ、５ｃ、５ｄ  アームリブ
５１ａ、５１ｂ、５１ｃ、５１ｄ  アーム折り曲げ部
６ａ、６ｂ、６ｃ、６ｄ  挟持爪部
７ａ、７ｂ  谷折り部
７１ａ、７１ｂ  中央挟持爪部
【図１】
0003781348.tif 000002
【図２】
0003781348.tif 000003
【図３】
0003781348.tif 000004
【図４】
0003781348.tif 000005
【図５】
0003781348.tif 000006